(57)【要約】【課題】脱毛処理用の光を皮膚に対して均一に照射でき、容易且つ効果的に脱毛を行うことができ、また、簡単な構成で装置の小型化、軽量化、コストダウンを実現できる光脱毛装置を提供する。【解決手段】皮膚９に脱毛処理用の光を発する管状のキセノンランプ２を備える。キセノンランプ２を投光軸回りに回動するモータ７を備える。【選択図】図１
2009034241.tif 000002
【特許請求の範囲】
【請求項１】
皮膚に脱毛処理用の光を発する管状のキセノンランプと、該キセノンランプを投光軸回りに回動するモータを備えて成ることを特徴とする光脱毛装置。
【発明の詳細な説明】
【技術分野】
【０００１】
本発明は脱毛処理用の光を発する光脱毛装置に関する。
【背景技術】
【０００２】
従来、光源部から発した光を被施療部となるわき等の皮膚に当て、体毛の成長を抑制して脱毛を行う光脱毛装置が知られている。光脱毛装置には光源部を管状のキセノンランプとしたものがあるが、このような管状のキセノンランプから皮膚に照射される光はランプの長さ方向に細長いものであるので、光を皮膚の所望の範囲に均等に当てることが難しく、脱毛効果にばらつきがあった。
【０００３】
また、例えば特許文献１に示す光脱毛装置は、光源部を半導体レーザ光源で構成し、半導体レーザ光源から照射されるレーザ光を反射する第１の反射体と、第１の反射体によって反射されるレーザ光を皮膚に向けて反射する第２の反射体を備え、第１の反射体及び第２の反射体からなる光路変換部を駆動装置により投光軸回りに回動することでレーザ光の反射方向を変更し、これによりレーザ光を走査して皮膚に照射するものである。
【０００４】
しかし、特許文献１のように第１の反射体及び第２の反射体からなる光路変換部を回動してレーザ光を走査する構造は非常に複雑であって装置が大型化し、特に光源が直管状のキセノンランプである光脱毛装置に適用すると、装置が非常に大きくなり、重量やコストも増す。
【特許文献１】特開２００３−１１７００８号公報
【発明の開示】
【発明が解決しようとする課題】
【０００５】
本発明は上記従来の問題点に鑑みて発明したものであって、脱毛処理用の光を皮膚に対して均一に照射でき、容易且つ効果的に脱毛を行うことができ、また、簡単な構成で装置の小型化、軽量化、コストダウンを実現できる光脱毛装置を提供することを課題とするものである。
【課題を解決するための手段】
【０００６】
上記課題を解決するために本発明に係る光脱毛装置は、皮膚９に脱毛処理用の光を発する管状のキセノンランプ２と、該キセノンランプ２を投光軸回りに回動するモータ７を備えて成ることを特徴とする。
【０００７】
上記構成により、モータ７を駆動することで、管状のキセノンランプ２から脱毛処理用の光を発すると共に該キセノンランプ２を投光軸回りに回動でき、これにより脱毛処理用の光を皮膚９に対して均一に照射できる。
【発明の効果】
【０００８】
本発明では、光源部が管状のキセノンランプであるにもかかわらず、脱毛処理用の光を皮膚に対して均一に照射でき、容易且つ効果的に脱毛を行える。また、キセノンランプをモータにより回動するという簡単な構成であるので、装置の小型化、軽量化、コストダウンを実現できる。
【発明を実施するための最良の形態】
【０００９】
以下、本発明を添付図面に示す実施形態に基づいて説明する。なお、以下ではキセノンランプ２から照射される光の照射方向を上方として説明し、即ち図１（ａ）のａで示す光源部２から照射される光の投光軸は上下方向と平行となる。
【００１０】
図１は本実施形態の一例の光脱毛装置の全体を概略的に示した説明図である。光脱毛装置は機器本体１の外郭を平面視円形で縦長のハウジング１ａで構成してあり、ハウジング１ａを片手で把持して使用できる手持ち式となっている。機器本体１の上端部には光源部として上下方向と直交する一方向に長い管状のキセノンランプ２と該キセノンランプ２を固定保持する保持部材３からなるランプブロック４を内蔵してあり、キセノンランプ２からは上方に向けてパルス状の光を発することができるようになっている。機器本体１のハウジング１ａの上端面部においてキセノンランプ２に対向する位置には光照射口５を形成している。光照射口５は平面視でキセノンランプ２の長さ寸法よりも長い直径を有する円形に形成され、光照射口５の中心と直管状のキセノンランプ２の中心は重なる。また、光照射口５には透明のランプカバー６を嵌め込んであり、キセノンランプ２が発する光はランプカバー６を通じて機器本体１外である上方に向けて照射される。
【００１１】
ランプブロック４の保持部材３はハウジング１ａに内蔵したモータ７に接続してあって、モータ７を駆動することでキセノンランプ２と共に上下軸回りに回動され、これによりキセノンランプ２は平面視でキセノンランプ２の中心を回動中心として投光軸回りに回動する。
【００１２】
機器本体１には電池からなる電源８と制御回路（図示せず）を内蔵してあり、制御回路にはキセノンランプ２及びモータ７が電気的に接続してある。制御回路は電源８から供給された電圧を高電圧としてキセノンランプ２に印加し、キセノンランプ２の発光のオンオフ等を適宜制御するものであり、キセノンランプ２の断続的なパルス状の発光及び該発光の停止は機器本体１に設けた操作スイッチ（図示せず）を操作することにより切り替えられる。
【００１３】
また、制御回路は上記キセノンランプ２で断続的な発光を行う使用時においてモータ７を駆動し、キセノンランプ２を投光軸回りに回動する。具体的には上記操作スイッチのＯＮ時において、キセノンランプ２を投光軸回りに所定角度の範囲内で往復回動し、常時又は所定角度回動する毎にキセノンランプ２からの断続的なパルス状の発光を行う。また、この場合、前記キセノンランプ２の回動範囲を１８０°としてあり、光照射口５に対応する皮膚９の円状の部分全体に光を照射でき且つ皮膚９に対して光を均等に照射できるようにしてある。ここで、キセノンランプ２は発光時・非発光時にかかわらず一定の速さで回動を続けるものであっても良いし、また、キセノンランプ２の非発光時のみ回動し、発光時にはキセノンランプ２の回動を一時的に停止するようにしても良い。
【００１４】
上記光脱毛装置を使用する場合、機器本体１を把持して図３に示すように機器本体１の上端面をわき等の人体の皮膚９に押し当て、この状態で前述の操作スイッチをＯＮ操作してキセノンランプ２から断続的なパルス状の閃光を発する。これによりキセノンランプ２からの光が光照射口５に対向する処理対象部位となる皮膚９に当たり、この結果、光エネルギが毛に伝えられて加熱され、毛に栄養が届き難くなって脱毛処理がなされる。また、この時、制御回路によりモータ７が駆動してキセノンランプ２は投光軸回りに回動するので、キセノンランプ２からの光は皮膚９のキセノンランプ２の移動軌跡に対応する部分に照射され、皮膚に対して対して均一に照射される。
【００１５】
以上説明した光脱毛装置にあっては、皮膚９に脱毛処理用の光を発する管状のキセノンランプ２をモータ７によりキセノンランプ２の投光軸回りに回動することができるので、光源部が管状のキセノンランプ２であるにもかかわらず、脱毛処理用の光を皮膚９に対して均一に照射でき、容易且つ効果的に脱毛を行える。また、キセノンランプ２をモータ７により回動するという簡単な構造であり、装置の小型化、軽量化、コストダウンを実現できる。
【図面の簡単な説明】
【００１６】
【図１】本発明の実施の形態の一例の光脱毛装置を示し、（ａ）は概略断面図であり、（ｂ）は平面図である。
【図２】同上の光脱毛装置のキセノンランプを図１（ｂ）に示した状態から９０°回動した状態を示す平面図である。
【図３】同上の光脱毛装置を肌に当てた状態を示す説明図である。
【符号の説明】
【００１７】
２  キセノンランプ
７  モータ
９  皮膚
【図１】
2009034241.tif 000003
【図２】
2009034241.tif 000004
【図３】
2009034241.tif 000005